Podtech/llm-jp-corpus-v4-ja_patent huggingface dataset:
【手続補正書】
【提出日】平成19年10月1日(2007.10.1)
【手続補正１】
【補正対象書類名】明細書
【補正対象項目名】特許請求の範囲
【補正方法】変更
【補正の内容】
【特許請求の範囲】
【請求項１】  斜板構成における軸方向ピストンエンジン（１）の斜板（１２）を調整するための調整装置（１）であって、軸方向ピストンエンジン（１）の斜板（１２）に係合する作動ピストン（１８）と、作動空間（４５）に存在して作動ピストンに作用する作動圧力を弁ピストン（２０）に作用する制御力に応じて調整する制御弁（１９）とを備えており、作動ピストン（１８）が制御弁（１９）と構造的に別体である調整装置（１）において、作動ピストン（１８）は制御力に抗して作用する再調整ばね（３４）により制御弁（１９）の弁ピストン（２０）に連結されており、作動ピストン（１８）および制御弁（１９）を軸方向ピストンエンジン（１）のハウジング（６）の位置決め穴（１６）に互いに軸方向に食い違って挿入することができることを特徴とする軸方向ピストンエンジン（１）の斜板（１２）を調整するための調整装置（１）。
【請求項２】  再調整ばね（３４）の予備張力は作動ピストン（１８）の位置に依存していることを特徴とする請求項１に記載の調整装置。
【請求項３】  再調整ばね（３４）はポット状作動ピストン（１８）のキャビティ（３３）に一体化されていることを特徴とする請求項１または２に記載の調整装置。
【請求項４】  作動ピストン（１８）のキャビティ（３３）は弁ピストン（２０）に連結されているばね板（３９）を保持しており、再調整ばね（３４）はポット状作動ピストン（１８）の基部（３５）とばね板（３９）との間に挟持されていることを特徴とする請求項３に記載の調整装置。
【請求項５】  制御弁（１９）の弁ピストン（２０）は弁ハウジング（５０）の内側で移動可能であることを特徴とする請求項１ないし４のいずれかの項に記載の調整装置。
【請求項６】  弁ハウジング（５０）は作動空間（４５）と連通している連通チャンネル（５１）を有しており、弁ピストン（２０）は連通チャンネル（５１）を分配連結部（４８）に連結する第１制御縁部（６４）と、連通チャンネル（５１）をタンク連結部（４７）に連結する第２制御縁部（６５）とを有していることを特徴とする請求項５に記載の調整装置。
【請求項７】  弁ハウジング（５０）は制限された連通チャンネル（５１）をタンク連結部（４７）に連結するために制限部（５４）を有していることを特徴とする請求項５または６に記載の調整装置。
【請求項８】  弁ピストン（２０）は、作動圧力が弁ハウジング（５０）の両側に加えられるように作動空間（４５）と連結された貫通チャンネル（７６）を有しており、すなわち、弁ハウジング（５０）の位置は作動圧力および斜板（１２）の位置とは無関係であることを特徴とする請求項５ないし７のいずれかの項に記載の調整装置。
【請求項９】  弁ハウジング（５０）は圧力ばね（７１）により調整可能なストッパ（７０）に押し当てられ、それにより弁ハウジング（５０）の軸方向位置を調整可能なストッパ（７０）により調整することができることを特徴とする請求項５ないし８のいずれかの項に記載の調整装置。
【請求項１０】  制御力はソレノイド（２１）、特に、比例磁石により発生されることを特徴とする請求項１ないし９のいずれかの項に記載の調整装置。
【請求項１１】  制御力は電気モータ、特に、ステップモータにより発生されることを特徴とする請求項１ないし１０のいずれかの項に記載の調整装置。
【請求項１２】  ソレノイド（２１）または電気モータは再調整ばね（３４）と反対側の端部（６７）で弁ピストン（２０）に係合するタペット（６６）により弁ピストン（２０）に連結されていることを特徴とする請求項１又は１０に記載の調整装置。
【手続補正書】
【提出日】平成19年9月5日(2007.9.5)
【手続補正１】
【補正対象書類名】明細書
【補正対象項目名】特許請求の範囲
【補正方法】変更
【補正の内容】
【特許請求の範囲】
【請求項１】  外部と内部を持つ断熱囲い（４４，４６，４８，５０．５２，５４）と、
高温部(２８)と低温部（２６）を持つスターリングクーラー（１０）：および
前記断熱囲い（４４，４６，４８，５０．５２，５４）内部に配される熱伝導部材（７８、８２）であって、前記スターリングクーラー（１０）の前記低温部（２６）に熱交換関係に接続している熱伝導部材とを具備する装置（４０）であって、
前記囲いが少なくとも部分的に前記内部から前記外部へのドレンを規定（８４）し、
前記スターリングクーラー（１０）は、スターリングクーラー（１０）の前記高温部（２８）を通るよう空気をうごかすために、前記スターリングクーラー（１０）と機能的につながっているファン（３５）をさらに具備し、
該装置（４０）は、前記熱伝導部材（７８，８２）は、前記熱伝導部材（７８，８２）上の結露が前記囲い（４４，４６，４８，５０．５２，５４）から前記ドレン（８４）を通って流れ出ることができるように、前記ドレン（８４）と機能的につながっていることを特徴とし、
前記装置はさらに、前記ドレン（８４）の下部に配された流体容器（８８）を具備し、前記流体容器（８８）は、前記ファン（３８）が前記流体容器（８８）からの流体の蒸発を促進できるように前記ファン（３８）に対して配置されていることを特徴とする装置。
【請求項２】  前記ドレン(８４)と機能上つながっていて、前記ドレン(８４)からの流体を前記流体容器(８８)に導くための導管(８６)をさらに具備する、請求項１に記載の装置(４０)。
【請求項３】  前記断熱囲い（４４，４６，４８，５０．５２，５４）内部に配され、熱伝導部材（７７，７８）を通るように空気を動かすための機能を持つファン(９０)をさらに具備する、請求項１または２に記載の装置(４０)。
【請求項４】  前記熱伝導部材(７８，８２)が、互いに間隔をおきかつ互いに熱伝導関係にある、複数の熱伝導性プレート(８２)を備える、請求項１，２または３のいずれかに記載の装置（４０）。
【請求項５】  前記熱伝導プレート(８２)が、前記囲い（４４，４６，４８，５０．５２，５４）内部に配された熱伝導性ブロック(７８)に取り付けられている、請求項４に記載の装置（４０）。
【請求項６】  前記スターリングクーラー（１０）の前記低温部（２６）が、前記熱伝導性ブロック（７８）に接続されている、請求項５に記載の装置（４０）。
【請求項７】  互いに対向し断熱された側部壁（４４，４６）と、断熱された上部および底部壁（４８，５０）と、断熱された後部壁（５２）と、前部壁を少なくとも部分的に規定する開閉自在な扉（５４）とを具備する断熱囲い（４４，４６，４８，５０．５２，５４）であって、前記底部壁（５０）が少なくとも部分的にドレン通路（８４）を規定し、前記底部壁（５０）は前記底部壁（５０）上に落下する流体が、前記ドレン通路（８４）に導かれるような形状になっている断熱囲い（４４，４６，４８，５０．５２，５４）を具備し、
前記流体容器（８８）は前記ドレン通路（８４）から流れ出る流体を集めるよう機能し、
前記熱伝導部材（７８，８２）は、前記熱伝導部材（７８，８２）上の結露が前記後部壁（５０）上に落下するように配置され、
前記ファンが空気を前記流体容器（８８）に空気を動かすようになっている、上記請求項のいずれかに記載の装置（４０）。
【請求項８】  前記熱伝導部材（７８，８２）と機能上つながっていて、空気が前記熱伝導部材（７８，８２）を通るように空気を動かすためのファン（９０）をさらに備える、前記請求項１に記載の装置（４０）。
【請求項９】  前記ファン（９０）が、前記流体容器（８８）にほぼ垂直な姿勢を持つ、上記請求項のいずれかに記載の装置（４０）。
【請求項１０】  前記スターリングクーラー（１０）が、熱伝導フィン（３４）を備え、前記熱伝導フィン（３４）が前記スターリングクーラー（１０）の前記高温部（２８）と熱交換関係に接続されている、上記請求項のいずれかに記載の装置（４０）。
【請求項１１】  空気が前記熱伝導フィン（３４）を通って移動できるように、前記ファン（３６）が前記スターリングクーラー（１０）と機能的につながっている、請求項１０に記載の装置（４０）。
【請求項１２】  前記囲いが前記内部から前記外部への開口部（７８）を規定し、
前記熱伝導部材が前記開口部（７８）と位置整合しており、
前記低温部（２８）が前記開口部（７６）に挿入されたとき、前記低温部（２５）は前記熱伝導部材（７８，８２）に選択的に接続可能であり、前記装置はさらに、スターリングクーラー（１０）から前記囲い（４４，４６，４８，５０．５２，５４）への振動伝達を低減するために、
前記熱伝導部材（７８，８２）と前記囲い（４４，４６，４８，５０．５２，５４）との間に配されたエラストマー部材（１０８）をさらに備える、上記請求項のいずれかに記載の装置（４０）。
【請求項１３】  断熱囲い（４４，４６，４８，５０．５２，５４）内部に配された熱伝導部材（７８，８２）を冷却し、前記熱伝導部材（７８，８２）はスターリングクーラー（１０）のの低温部（２６）と熱伝導関係につながっており、前記断熱囲い（４４，４６，４８，５０．５２，５４）の底部（５０）は少なくとも部分的にドレン通路（８４）を規定しており、前記底部（５０）は流体が前記底部（５０）に落下して前記ドレン通路（８４）に方向をとるような形状を持ち、
前記ドレン通路（８４）を流れる流体を、前記断熱囲い（４４，４６，４８，５０．５２，５４）の外側の流体収集装置（８８）に集め、
前記流体収集装置（８８）からの流体の蒸発を促進するために空気を流体集装置（８８）に通すことからなる方法。
【請求項１４】  空気が前記熱伝導部材（７８，８２）を通って移動する、前記請求項１３に記載の方法。
【手続補正書】
【提出日】平成19年9月21日(2007.9.21)
【手続補正１】
【補正対象書類名】明細書
【補正対象項目名】特許請求の範囲
【補正方法】変更
【補正の内容】
【特許請求の範囲】
【請求項１】  電子撮像装置で測定した選択された色のマッチング用の色処方を決定する方法において、
ａ）各々の測色データが既知である少なくとも２つの較正色の色信号を測定することにより、前記電子撮像装置を較正するステップ；
ｂ）同時に、選択された色を前記電子撮像装置を用いて測定するステップ；
ｃ）前記較正色の測定された前記色信号を既知の測色データに変換するために、パラメータを、数学的モデルを用いて計算するステップ；
ｄ）前記数学的モデル及び算出したパラメータを用いて、測定された選択された色の前記色信号を測色データへと変換するステップ；および
ｅ）測定された前記選択色の算出された前記測色データに最も良くマッチする測色データを有する色処方を、データバンクを用いて決定するステップを含むことを特徴とするマッチング用の色処方を決定する方法。
【請求項２】  前記較正色が測色色空間全体に分布することを特徴とする請求項１記載のマッチング用の色処方を決定する方法。
【請求項３】  前記較正色が前記選択色の近傍に分布することを特徴とする請求項２記載のマッチング用の色処方を決定する方法。
【請求項４】  前記モデルパラメータの計算時に、前記選択色の近傍の較正色に、より大きい重みを与えることを特徴とする前記請求項の何れか一つに記載のマッチング用の色処方を決定する方法。
【請求項５】  前記電子撮像装置がフラットベッドスキャナであることを特徴とする前記請求項の何れか一つに記載のマッチング用の色処方を決定する方法。
【請求項６】  前記電子撮像装置がデジタルカメラであることを特徴とする請求項１〜４の何れか一つに記載のマッチング用の色処方を決定する方法。
【請求項７】  前記選択色の記録から前記テクスチャパラメータを計算することができ、且つ測定した前記選択色の計算されたテクスチャパラメータに最も良く一致するテクスチャパラメータを有する色処方をデータバンクを用いて決定することができることを特徴とする前記請求項の何れか一つに記載のマッチング用の色処方を決定する方法。
【請求項８】    前記較正パタン上にルーラを設けたことを特徴とする請求項７記載のマッチング用の色処方を決定する方法。
【請求項９】  選択された素材の選択された色及びテクスチャをマッチングするためにテクスチャ及び色処方を決定する方法において、
ａ）選択された前記素材の色を分光測光器または三刺激メータを用いて測定し；
ｂ）選択された前記素材の前記テクスチャを電子撮像装置を用いて測定し；さらに
ｃ）選択された前記素材の測色データおよびテクスチャデータに最もよく一致する測色データおよびテクスチャデータを有するテクスチャ及び色処方をデータバンクにおいて決定するために、測定した前記色および前記テクスチャのデータを用いること
を特徴とする方法。
【請求項１０】  前記方法を車修理産業において実行することを特徴とする前記請求項の何れか一つに記載の方法。
【請求項１１】  前記電子撮像装置による前記選択色の記録中に付加的な情報が提供されることを特徴とする前記請求項の何れか一つに記載の方法。
【手続補正２】
【補正対象書類名】明細書
【補正対象項目名】０００３
【補正方法】変更
【補正の内容】
【０００３】
また、選択色の標準カラーサンプルによるチェックに測定信号を用いることも可能である。このような方法は、印刷インク産業で現在使用されている。
人の目は色の違いに非常に敏感である。ある色を合わせようとする場合、その色の測定は極力正確であることが肝要である。高い測定精度を得るには較正（校正と言うことがある）が必要となる。このため、いわゆる測色データ（colorimetric  data）と称する標準値により色を定義する確固たる規格がある。最も一般的な測色データは、国際照明委員会（Commision International de l'Eclairage ＝ＣＩＥ）が提唱したもので、例えば、CIELab(L*ab, a*, b*)、CIEXYZ(X, Y, Z)およびCIELUV(L*UV, u*, v*)である。それ故、分光光度計や三刺激メータを較正する場合、分光測光データや三刺激測光データは、測色データに変換しなければならない。
【手続補正３】
【補正対象書類名】明細書
【補正対象項目名】０００５
【補正方法】変更
【補正の内容】
【０００５】
【課題を解決するための手段】
本発明は、電子撮像装置で測定した選択された色のマッチング用の色処方を決定する方法に関する。この方法は次のステップからなる。即ち、
ａ）各々の測色データが既知である少なくとも２つの較正色の色信号を測定することにより、電子撮像装置を較正する；
ｂ）同時に、選択された色を前記電子撮像装置を用いて測定する；
ｃ）較正色の測定された前記色信号を既知の測色データに変換するために、パラメータを、数学的モデルを用いて計算する；
ｄ）前記の数学的モデル及び算出したパラメータを用いて、測定された選択された色の前記色信号を測色データへと変換する；
ｅ）そして、測定された前記選択色の算出された前記測色データに最も良くマッチする測色データを有する色処方をデータバンクを用いて決定する。
【手続補正書】
【提出日】平成19年10月9日(2007.10.9)
【手続補正１】
【補正対象書類名】明細書
【補正対象項目名】特許請求の範囲
【補正方法】変更
【補正の内容】
【特許請求の範囲】
【請求項１】
圧縮空気系内の空気を清浄にする方法であって、
下記の媒体に前記空気を連続的に通過させる工程を有し、
前記媒体は、
大きい粒子と自由水と液体／物質とが通過するのを防止するために５μｍより大きいような大粒子に対して良好な効率を示すが、それ以下の小さい粒子に対して限定された効率を示すプレフィルタ（６）と、
大きな炭素化合物と他の化合物の通過を防止すると共に液状の水を吸収するために１２０−１３０Åの典型的な気孔サイズを有する大気孔シリカゲル（７）と、小さな炭素化合物の通過を防止すると共に蒸気状の水を吸収する微細気孔シリカゲル（８）とを持つシリカゲル層（７，８）と、
モレキュラーシーブ（９）と、
前段の媒体内で発生した小粒子をとるためにポリエステル又は代替品としてポリプロピレン、羊毛及びビスコースによって製造された、０．４μｍの粒子に対し少なくとも３０％の効率を有する、微細フィルタ（１０）と、
を有することを特徴とする方法。
【請求項２】 
前記モレキュラーシーブ（９）自体が周知のゼオリドであることを特徴とする請求項１の方法。
【請求項３】 
前記圧搾空気系は自動車への応用のために用いられることを特徴とする請求項１または２の方法。
【請求項４】 
請求項１乃至３のいずれか１項で定められた方法を実施するための装置であって、
前記装置は、コンプレッサー後の圧縮空気系中に慣用のエアドライヤ用カートリッジを有し、
前記カートリッジは、
円筒状のハウジングの内部を環状の外側コンパートメントと円筒状の中央コンパートメントとに分割する円筒状の分割壁（２）を備えた前記ハウジング（１）を備え、
前記装置中で、前記プレフィルタ（６）と前記シリカゲル層（７、８）とが前記外側コンパートメントに配置され、前記モレキュラーシーブ（９）と前記微細フィルタ（１０）とが前記中央コンパートメントに配置されていることを特徴とする装置。
【手続補正書】
【提出日】平成19年8月30日(2007.8.30)
【手続補正１】
【補正対象書類名】明細書
【補正対象項目名】特許請求の範囲
【補正方法】変更
【補正の内容】
【特許請求の範囲】
【請求項１】  (ａ)  サンプルを、電気化学ルミネセンス標識からなり、相補性の第二の核酸または核酸分子とハイブリダイズする第一の核酸または核酸分子と混合し、
(ｂ)  サンプルと工程（ａ）からのハイブリダイズした核酸または核酸分子とを、サンプル中に存在するヘリカーゼが第一および第二の核酸または核酸分子を解離できる条件下にインキュベートし、
(ｃ)  解離した第一の核酸または核酸分子を捕獲し、ついで
(ｄ)  捕獲された第一の核酸または核酸分子からの電気化学ルミネセンスを測定すること
からなるサンプル中のヘリカーゼ活性を検出する電気化学ルミネセンスアッセイ法。
【請求項２】  ヘリカーゼはヒトヘリカーゼまたは病原体ヘリカーゼである請求項１記載の電気化学ルミネセンスアッセイ法。
【請求項３】  病原体ヘリカーゼは真菌、ウイルス、細菌または寄生体のヘリカーゼである請求項２記載の電気化学ルミネセンスアッセイ法。
【請求項４】  工程（ｂ）と（ｃ）の間に、
(ｉ)  解離した核酸または核酸分子を、第一の核酸または核酸分子と相補性であり、そして捕獲リガンドからなる第三の核酸または核酸分子と、第一および第三の核酸または核酸分子がハイブリダイズできる条件下にインキュベートし、
(ii)  工程（ｉ）からのハイブリダイズした第一および第三の核酸または核酸分子を捕獲リガンドと結合する捕獲受容体とともにインキュベートすること
からなる請求項１記載の電気化学ルミネセンスアッセイ法。
【請求項５】  捕獲リガンドはビオチンであり、捕獲受容体はアビジンである請求項４記載の電気化学ルミネセンスアッセイ法。
【請求項６】  捕獲受容体は磁性ビーズの表面上にある請求項４記載の電気化学ルミネセンスアッセイ法。
【請求項７】  捕獲リガンドはビオチンであり、捕獲受容体はアビジンである請求項６記載の電気化学ルミネセンスアッセイ法。
【請求項８】  電気化学ルミネセンス標識はルテニウムキレートである請求項１記載の電気化学ルミネセンスアッセイ法。
【請求項９】  (ａ)  サンプルをヘリカーゼ、および電気化学ルミネセンス標識から
なり、そして相補性の第二の核酸または核酸分子とハイブリダイズする第一の核酸または核酸分子と混合して混合物を形成させ、
(ｂ)  工程（ａ）からの混合物を、ヘリカーゼがサンプルの不存在下に第一および第二の核酸または核酸分子を解離できる条件下にインキュベートし、
(ｃ)  解離された第一の核酸または核酸分子を捕獲し、ついで
(ｄ)  捕獲された第一の核酸または核酸分子からの電気化学ルミネセンスを測定すること
からなるサンプル中のヘリカーゼ活性を修飾する物質を検出する方法。
【請求項１０】  物質はヘリカーゼ活性のインヒビターである請求項９記載の方法。
【請求項１１】  ヘリカーゼはヒトヘリカーゼまたは病原体ヘリカーゼである請求項９記載の方法。
【請求項１２】  病原体ヘリカーゼは真菌、ウイルス、細菌または寄生体のヘリカーゼである請求項１１記載の方法。
【請求項１３】  工程（ｂ）と（ｃ）の間に
(ｉ)  解離した核酸または核酸分子を、第一の核酸または核酸分子と相補性であり、そして捕獲リガンドからなる第三の核酸または核酸分子と、第一および第三の核酸または核酸分子がハイブリダイズできる条件下にインキュベートし、
(ii)  工程（ｉ）からのハイブリダイズした第一および第三の核酸または核酸分子を捕獲リガンドと結合する捕獲受容体とともにインキュベートすること
からなる請求項９記載の方法。
【請求項１４】  捕獲リガンドはビオチンであり、捕獲受容体はアビジンである請求項１３記載の方法。
【請求項１５】  捕獲受容体は磁性ビーズの表面上にある請求項１３記載の方法。
【請求項１６】  捕獲リガンドはビオチンであり、捕獲受容体はアビジンである請求項１５記載の方法。
【請求項１７】  電気化学ルミネセンス標識はルテニウムキレートである請求項９記載の方法。
【請求項１８】  （ａ）電気化学ルミネセンス標識からなる第一の核酸または核酸分子、（ｂ）第一の核酸または核酸分子に相補性な第二の核酸または核酸分子および（ｃ）ヘリカーゼからなる、ヘリカーゼ活性の電気化学ルミネセンスによる検出のためのキット。
【請求項１９】  第一の核酸または核酸分子は第二の核酸または核酸分子にハイブリダイズする請求項１８記載のキット。
【請求項２０】  さらに第一の核酸または核酸分子に相補性で、捕獲リガンドからなる第三の核酸または核酸分子から構成される請求項１８記載のキット。
【請求項２１】  さらに捕獲受容体を含む請求項２０記載のキット。
【請求項２２】  捕獲受容体は磁性ビーズの表面上にある請求項２１記載のキット。
【請求項２３】  捕獲リガンドはビオチンであり、捕獲受容体はアビジンである請求項２２記載のキット。
【手続補正書】
【提出日】平成19年9月21日(2007.9.21)
【手続補正１】
【補正対象書類名】明細書
【補正対象項目名】特許請求の範囲
【補正方法】変更
【補正の内容】
【特許請求の範囲】
【請求項１】
（ａ）ポリカルボン酸またはポリヒドロキシ酸を生産するための生物体を供給すること；
（ｂ）前記生物体によりポリカルボン酸またはポリヒドロキシ酸に転換されるための基質を供給すること；
（ｃ）（i）代謝転換可能な炭素及びエネルギー源；
（ii）アンモニア、水酸化アンモニウム、硫酸アンモニウム、およびそれらの混合物から選択される無機窒素源；
（iii）リン酸カリウム ；
（iv）アルカリ金属、アルカリ土金属、遷移金属、及びそれらの混合物から成る群から選択される少なくとも１つの金属；
（v）微粒子物質及び細菌を実質的に含まないビオチン；
（vi）少なくとも１つのキレート剤 ；及び
（vii）消泡剤
を含む発酵培地を供給すること；及び
（ｄ）前記（ａ）の生物体、前記（ｂ）の基質、および前記（ｃ）の発酵培地を含む混合物をｐＨ３〜７で 発酵すること
を含む色および臭いが安定なポリカルボン酸またはポリヒドロキシ酸の製造方法。
【請求項２】
前記生物体がＣ．トロピカリスである、請求項１に記載の方法。
【請求項３】
前記基質が、約４〜約２５個の炭素原子を有するアルカンである、請求項１に記載の方法。
【請求項４】
前記炭素及びエネルギー源がグルコースを含む、請求項１に記載の方法。
【請求項５】
前記無機窒素源が硫酸アンモニウムを含む、請求項１に記載の方法。
【請求項６】
前記金属がカルシウムを含む、請求項１に記載の方法。
【請求項７】
前記金属がマグネシウムを含む、請求項１に記載の方法。
【請求項８】
前記金属がカルシウム及びマグネシウムを含む、請求項１に記載の方法。
【請求項９】
前記方法が、工程（ｄ）中に溶解酸素濃度レベルを約２５％以下に維持することを含む、請求項１に記載の方法。
【請求項１０】
前記無機窒素源が、アンモニア、水酸化アンモニウム及びその混合物から成る群から選択される成分を含む、請求項１に記載の方法。
【手続補正書】
【提出日】平成19年8月17日(2007.8.17)
【手続補正１】
【補正対象書類名】明細書
【補正対象項目名】特許請求の範囲
【補正方法】変更
【補正の内容】
【特許請求の範囲】
【請求項１】  配列番号１のアミノ酸配列を有するフィブリン溶解活性ポリペプチド。
【請求項２】  酵母内での組換え発現によって造られた、請求項１に記載のポリペプチド。
【請求項３】  配列番号１のポリペプチドをコードする核酸分子。
【請求項４】  配列番号４の配列を有する、請求項３に記載の核酸分子。
【請求項５】  請求項３に記載の核酸分子に機能するように結合された発現調節要素を含む発現ベクター。
【請求項６】  核酸分子が配列番号４のヌクレオチド配列を有する、請求項５に記載の発現ベクター。
【請求項７】  請求項３に記載の核酸分子で形質転換またはトランスフェクトされた宿主細胞。
【請求項８】  原核または真核細胞である、請求項７に記載の形質転換またはトランスフェクトされた宿主細胞。
【請求項９】  酵母細胞である、請求項８に記載の形質転換またはトランスフェクトされた原核細胞。
【請求項１０】  ピキア・パストリスである、請求項９に記載の形質転換またはトランスフェクトされた酵母細胞。
【請求項１１】  ＮＡＴを生産するための方法であって、
ＤＮＡ分子が発現されるような条件のもとで、その発現を促進するための調節要素に機能するように結合された前記メタロプロティナーゼをコードするＤＮＡ分子を含有する宿主細胞を培養すること、および
宿主細胞培養物から発現されたメタロプロティナーゼを単離すること、
を含む方法。
【請求項１２】  ＤＮＡ分子が配列番号４のものである、請求項１１に記載の方法。
【請求項１３】  宿主細胞が酵母細胞である、請求項１１に記載の方法。
【請求項１４】  酵母細胞がピキア・パストリスである、請求項１３に記載の方法。
【請求項１５】  フィブロラーゼおよびＮＡＴから成る群から選択されるメタロプロティナーゼフィブリン溶解薬を製造するための方法であって、
ＤＮＡ分子が発現されるような条件のもとで、その発現を促進するための調節要素に機能するように結合された前記メタロプロティナーゼをコードするＤＮＡ分子を含有するピキア属宿主細胞を培養すること、および
宿主細胞培養株から発現されたメタロプロティナーゼを単離すること、
を含む方法。
【請求項１６】  ピキア属宿主細胞がピキア・パストリスである、請求項１５に記載の方法。
【請求項１７】  血栓溶解に有効な量のＮＡＴを哺乳類に投与することを含む、哺乳類の血栓症を治療するための方法。
【請求項１８】  請求項１に記載のポリペプチドに対する抗体。
【請求項１９】  モノクローナル抗体である、請求項１７に記載の抗体。
【手続補正書】
【提出日】平成19年10月16日(2007.10.16)
【手続補正１】
【補正対象書類名】明細書
【補正対象項目名】請求項９
【補正方法】変更
【補正の内容】
【請求項９】  反応混合物を300μg〜400μgの粒子に添加する請求項8の方法。
【手続補正２】
【補正対象書類名】明細書
【補正対象項目名】請求項２５
【補正方法】変更
【補正の内容】
【請求項２５】  遮断試薬がウシ血清アルブミン(BSA)、デンハルト試薬、線状ポリアクリルアミド(LPA)、脱脂粉乳、ポリビニルピロリドン(PVP)、硫酸ヘパリン、サケ精子DNA及びTween 20（登録商標）からなる群より選択される請求項24の方法。
【手続補正３】
【補正対象書類名】明細書
【補正対象項目名】００４０
【補正方法】変更
【補正の内容】
【００４０】
非特異的結合を弱めるもう1つの方法は、ブロッティングフィルターへの核酸の非特異的吸着を最小限に抑えることが知られている数種類の試薬のうちの1つ、たとえばウシ血清アルブミン(BSA)、デンハルト試薬、硫酸ヘパリン、線状ポリアクリルアミド(LPA)、脱脂粉乳、ポリビニルピロリドン(PVP)、サケ精子DNA及びTween 20（登録商標）などによる粒子のプレコンディショニングである。たとえば、硫酸ヘパリンによる粒子のバッチ式プレコンディショニングが好ましい。
【手続補正４】
【補正対象書類名】明細書
【補正対象項目名】００８０
【補正方法】変更
【補正の内容】
【００８０】
【表２】
2003511046.tif 000001
【手続補正書】
【提出日】平成19年10月5日(2007.10.5)
【手続補正１】
【補正対象書類名】明細書
【補正対象項目名】特許請求の範囲
【補正方法】変更
【補正の内容】
【特許請求の範囲】
【請求項１】  発現ベクターであって、プロモーター配列、第一コーディング配列、ポリアデニル化部位および第二コーディング配列をこの順序で含み、ここにおいて、内部ポリアデニル化部位と第二コーディング配列との間にプロモーター配列が存在しない発現ベクター。
【請求項２】  第二コーディング配列が選択可能マーカーをコードする請求項１に記載の発現ベクター。
【請求項３】  選択可能マーカーがジヒドロ葉酸レダクターゼである請求項２に記載の発現ベクター。
【請求項４】  内部ポリアデニル化部位が、ＳＶ４０後期ポリアデニル化部位（配列番号：１）、ＳＶ４０初期ポリアデニル化部位（配列番号：３）、および配列番号：１のヌクレオチド８０〜２２２から本質的に成る突然変異ＳＶ４０後期ポリアデニル化部位から成る群より選択される請求項１ないし３のいずれか１項に記載の発現ベクター。
【請求項５】  内部リボソームエントリー部位（ＩＲＥＳ）が、内部ポリアデニル化部位をコードしているＤＮＡと、選択可能マーカーをコードしているＤＮＡとの間に、ＩＲＥＳが選択可能マーカーに機能的に結合するように挿入されている請求項１ないし６のいずれか１項に記載の発現ベクター。
【請求項６】  請求項５に記載の発現ベクターを用いてトランスフェクションされた細胞の安定なプール。
【請求項７】  請求項６に記載のプールからクローン化された細胞系。
【請求項８】  組換えタンパク質を入手する方法であって、請求項６に記載の細胞の安定なプールを、タンパク質の発現を促進する条件下で培養し、そしてタンパク質を回収することを含む方法。
【請求項９】  組換えタンパク質を入手する方法であって、請求項７に記載の細胞系を、タンパク質の発現を促進する条件下で培養し、そしてタンパク質を回収することを含む方法。
【請求項１０】  第二コーディング配列の後に、そしてそれに機能的に結合した第二ポリアデニル化部位を更に含む請求項１に記載の発現ベクター。
【請求項１１】  発現ベクターであって、プロモーター配列、第一コーディング配列、配列番号：１のヌクレオチド８０〜２２２から本質的に成るポリアデニル化部位、および第二コーディング配列をこの順序で含み、ここにおいて、内部ポリアデニル化部位と第二コーディング配列との間にプロモーター配列が存在しない発現ベクター。
【請求項１２】  請求項１１に記載の発現ベクターを用いてトランスフェクションされた哺乳動物細胞の安定なプール。
【請求項１３】  請求項１２に記載のプールからクローン化された細胞系。
【請求項１４】  組換えタンパク質を入手する方法であって、請求項１２に記載の細胞の安定なプールを、タンパク質の発現を促進する条件下で培養し、そしてタンパク質を回収することを含む方法。
【請求項１５】  組換えタンパク質を入手する方法であって、請求項１３に記載の細胞系を、タンパク質の発現を促進する条件下で培養し、そしてタンパク質を回収することを含む方法。
【請求項１６】  請求項５に記載の発現ベクターを含有する哺乳動物宿主細胞。
【請求項１７】  請求項１０に記載の発現ベクターを含有する哺乳動物宿主細胞。
【請求項１８】  請求項１１に記載の発現ベクターを含有する哺乳動物宿主細胞。
【請求項１９】  第二コーディング配列の後に、そしてそれに機能的に結合した第二ポリアデニル化部位を更に含む請求項１１に記載の発現ベクター。
【請求項２０】  請求項１９に記載の発現ベクターを含有する哺乳動物宿主細胞。
【手続補正書】
【提出日】平成19年10月12日(2007.10.12)
【手続補正１】
【補正対象書類名】明細書
【補正対象項目名】特許請求の範囲
【補正方法】変更
【補正の内容】
【特許請求の範囲】
【請求項１】  ポリケチドの合成を増強するために遺伝子改変された組換えＳｔｒｅｐｔｏｍｙｃｅｓ宿主細胞であって、
該改変は、Ｓｔｒｅｐｔｏｍｙｃｅｓ  ｃｏｅｌｉｃｏｌｏｒ由来のｍａｔＢＣ遺伝子またはＲｈｉｚｏｂｉｕｍ  ｔｒｉｆｏｌｉ由来のｍａｔＢＣ遺伝子の組込みを含み、該ｍａｔＢＣ遺伝子は、内因性ｍａｔＢＣのほかに存在する、
宿主細胞。
【請求項２】  請求項１に記載の宿主細胞であって、
前記改変は、Ｒｈｉｚｏｂｉｕｍ  ｔｒｉｆｏｌｉ由来のｍａｔＡ遺伝子の組込みをさらに含み、かつ／または
前記改変は、モジュラーポリケチドシンターゼ（ＰＫＳ）についての少なくとも１つの発現系の組込みをさらに含む、
宿主細胞。
【請求項３】  請求項２に記載の宿主細胞であって、
該宿主細胞は、Ｓｔｒｅｐｔｏｍｙｃｅｓ  ｃｏｅｌｉｃｏｌｏｒであり、かつ／または
前記ＰＫＳは、ＤＥＢＳである、
宿主細胞。
【請求項４】  ポリケチドを産生するための方法であって、
該ポリケチドが産生される条件下で、請求項１〜３のうちのいずれか１項に記載の細胞を培養する工程
を包含する、方法。
【請求項５】  ポリケチドの合成について遺伝子改変された組換えＥ．ｃｏｌｉ宿主細胞であって、
該改変は、
ａ）Ｓｔｒｅｐｔｏｍｙｃｅｓ  ｃｏｅｌｉｃｏｌｏｒ由来のｍａｔＢＣ遺伝子またはＲｈｉｚｏｂｉｕｍ  ｔｒｉｆｏｌｉ由来のｍａｔＢＣ遺伝子の組込み；
ｂ）モジュラーポリケチドシンターゼについての少なくとも１つの発現系の組込み；および
ｃ）Ｂａｃｉｌｌｕｓ  ｓｕｂｔｉｌｉｓ由来ｓｆｐ遺伝子の組込み；
を含む、宿主細胞。
【請求項６】  請求項５に記載の宿主細胞であって、
前記改変は、Ｒｈｉｚｏｂｉｕｍ  ｔｒｉｆｏｌｉ由来のｍａｔＡ遺伝子の組込みをさらに含む、
宿主細胞。
【請求項７】  請求項５に記載の宿主細胞であって、
前記ｍａｔＢＣ遺伝子は、Ｒｈｉｚｏｂｉｕｍ  ｔｒｉｆｏｌｉ由来である、
宿主細胞。
【請求項８】  ポリケチドを産生するための方法であって、
該ポリケチドが産生される条件下で、請求項５〜７のうちのいずれか１項に記載の細胞を培養する工程
を包含する、方法。
【請求項９】  シャッフリングまたは変異されたポリケチドシンターゼ（ＰＫＳ）遺伝子を含む宿主細胞におけるポリケチド産生を評価するための方法であって、該方法は、
ａ）ＰＫＳ遺伝子もしくはその機能的ドメインをシャッフリングまたは変異させて、再編成または変異されたＰＫＳ遺伝子の混合物を生成する工程；
ｂ）請求項１〜３または５〜７のうちのいずれか１項に記載のＳｔｒｅｐｔｏｍｙｃｅｓまたはＥ．ｃｏｌｉの培養物を、該混合物で形質転換する工程；
ｃ）該形質転換されたＳｔｒｅｐｔｏｍｙｃｅｓの個々のコロニーを培養する工程；および
ｄ）ポリケチド産生について各コロニーを評価する工程、
を包含し、ポリケチドを産生するコロニーは、首尾よくシャッフリングまたは変異された遺伝子を含む、方法。
【請求項１０】  請求項９に記載の方法であって、
基質を提供する工程；
をさらに包含し、該基質は、式ＲＣＨ（ＣＯＯＨ）2の基質であり、該式において、Ｒは、Ｈであるか、メチルであるか、またはエチルである、方法。
【請求項１１】  ポリケチドの合成について遺伝子改変されている組換えＥ．ｃｏｌｉ宿主細胞であって、
該改変は、
ａ）Ｓｔｒｅｐｔｏｍｙｃｅｓ  ｃｏｅｌｉｃｏｌｏｒ由来のｐｃｃＢ遺伝子およびａｃｃＡ２遺伝子を含むプロピオニルＣｏＡカルボキシラーゼ（ｐｃｃ）発現系の組込みであって、該ｐｃｃ発現系は、２Ｓ−メチルマロニルＣｏＡを合成可能な酵素を産生する、組込み；
ｂ）モジュラーポリケチドシンターゼについての少なくとも１つの発現系の組込み；および
ｃ）Ｂａｃｉｌｌｕｓ  ｓｕｂｔｉｌｉｓ由来ｓｆｐ遺伝子の組込み；
を含み、該細胞のｐｒｐＡ〜Ｄオペロンは欠失している、宿主細胞。
【請求項１２】  ポリケチドを産生するための方法であって、
該ポリケチドが産生される条件下で、請求項１１に記載の細胞を培養する工程
を包含する、方法。
【請求項１３】  シャッフリングまたは変異されたポリケチドシンターゼ（ＰＫＳ）遺伝子を含む宿主細胞におけるポリケチド産生を評価するための方法であって、該方法は、
ａ）ＰＫＳ遺伝子もしくはその機能的ドメインをシャッフリングまたは変異させて、再編成または変異されたＰＫＳ遺伝子の混合物を生成する工程；
ｂ）請求項１１に記載のＥ．ｃｏｌｉの培養物を、該混合物で形質転換する工程；
ｃ）該形質転換されたＥ．ｃｏｌｉの個々のコロニーを培養する工程；および
ｄ）ポリケチド産生について各コロニーを評価する工程、
を包含し、ポリケチドを産生するコロニーは、首尾よくシャッフリングまたは変異された遺伝子を含む、方法。
【請求項１４】  請求項１３に記載の方法であって、
基質を提供する工程；
をさらに包含し、該基質は、式ＲＣＨ（ＣＯＯＨ）2の基質であり、該式において、Ｒは、Ｈであるか、メチルであるか、またはエチルである、方法。
【手続補正書】
【提出日】平成19年10月12日(2007.10.12)
【手続補正１】
【補正対象書類名】明細書
【補正対象項目名】特許請求の範囲
【補正方法】変更
【補正の内容】
【特許請求の範囲】
【請求項１】  Ｐ／Ｑカルシウムイオンチャネルのカルボキシ末端に近接するホーマー結合部位を含むペプチドであって、該ペプチドは、該カルボキシ末端に由来する４４アミノ酸以下の配列を含み、該ペプチドは、配列ＰＬＭＦを含む、ペプチド。
【請求項２】  前記配列ＰＬＭＦは、哺乳動物のＰ／Ｑカルシウムイオンチャネル中の該配列ＰＬＭＦのすぐ上流および／またはすぐ下流の配列に対応する２０アミノ酸までの配列が隣接する、請求項１に記載のペプチド。
【請求項３】  請求項２に記載のペプチドであって、該ペプチドは、ペプチド１９６６−ＹＹＲＱＳＫＡＫＫＬ  ＱＡＭＲＥＥＱＤＲＴ  ＰＬＭＦＱＲＭＥＰＰ  ＳＰＴＱＥＧＧＰＧＱＮＡＬＰ−２００９、または該ペプチドのＰＬＭＦを含むフラグメントと、少なくとも９０％相同である、ペプチド。
【請求項４】  請求項１〜３のうちのいずれか１項に記載のペプチドと特異的に免疫反応性の、抗体。
【請求項５】  請求項１〜３のうちのいずれか１項に記載のペプチドの発現系であって、該発現系は、該ペプチドをコードするヌクレオチド配列を含み、該ヌクレオチド配列は、発現をもたらす配列と作動可能に連結されている、発現系。
【請求項６】  請求項５に記載の発現系を含む、細胞。
【請求項７】  配列ＰＬＭＦを含むペプチドを生成するための方法であって、
該ペプチドが生成する条件下で請求項６に記載の細胞を培養する工程
を包含する、方法。
【請求項８】  請求項７に記載の方法により獲得される細胞であって、前記ペプチドを提示する、細胞。
【請求項９】  学習および記憶に影響を与える化合物を同定するための方法であって、該方法は、
候補化合物を、請求項１〜３のうちのいずれか１項に記載のペプチドまたは請求項８に記載の細胞と接触させる工程；および
該化合物が該ペプチドまたは細胞と結合するか否かを決定する工程；
包含し、該ペプチドまたは細胞と結合する候補化合物は、学習または記憶に影響を与える化合物として同定される、方法。
【請求項１０】  請求項９に記載の方法であって、前記接触させる工程は、前記ペプチドまたは細胞と結合することが既知であるリガンドの存在下で行われ、そして、前記決定する工程は、前記候補化合物が該リガンドを置換する能力を評価する工程を包含する、方法。
【手続補正書】
【提出日】平成19年9月19日(2007.9.19)
【手続補正１】
【補正対象書類名】明細書
【補正対象項目名】特許請求の範囲
【補正方法】変更
【補正の内容】
【特許請求の範囲】
【請求項１】  回転可能なシールによって分離された少なくとも２つのチャンバを含むデバイスであって、少なくとも１つのチャンバは生物学的アッセイ試薬を含む、デバイス。
【請求項２】  少なくとも１つのチャンバが、バクテリオファージ、細菌ヘルパー細胞、代謝調節因子、選択剤、タンパク質、抗体、酵素基質、抗ウイルス剤、染料、指示化学物質、色素、栄養素、またはそれらの組み合わせからなる群から選択される生物学的アッセイ試薬を含む、請求項１に記載のデバイス。
【請求項３】  微生物の存在または非存在を検出するための方法であって、
請求項１に記載のデバイスを提供する工程、
前記チャンバの少なくとも１つに、前記微生物を含むことが疑われるサンプルを添加する工程、
１つ以上の前記チャンバ間の前記シールを活性化して、前記バクテリオファージと前記サンプルとの間の接触を可能にする工程、および
前記サンプル中の微生物の存在または非存在を検出する工程、
を含む、方法。
【手続補正書】
【提出日】平成19年10月2日(2007.10.2)
【手続補正１】
【補正対象書類名】明細書
【補正対象項目名】特許請求の範囲
【補正方法】変更
【補正の内容】
【特許請求の範囲】
【請求項１】  重合性単量体、架橋性単量体および界面活性剤を必須成分として含有する油相と、水を必須成分として含有する水相とを混合して得られる油中水滴型高分散相エマルションを６０〜１１０℃の硬化温度まで加熱昇温させて重合させる多孔質架橋重合体の製造方法において、
該エマルションが厚さ５０ｍｍ以下に成形され、該エマルションの加熱昇温速度が５℃／分以上であることを特徴とする多孔質架橋重合体の製造方法。
【請求項２】  前記エマルションがフィルム状またはシート状に成形されることを特徴とする請求項１に記載の多孔質架橋重合体の製造方法。
【請求項３】  前記エマルションの加熱昇温速度が、５〜６０℃／分であることを特徴とする請求項１または２に記載の多孔質架橋重合体の製造方法。
【請求項４】  前記エマルションの形成温度と該エマルションの硬化温度との温度差が、２〜５０℃であることを特徴とする請求項１〜３のいずれか１項に記載の多孔質架橋重合体の製造方法。
【請求項５】  前記エマルションの形成温度が、４０〜９５℃であることを特徴とする請求項１〜４のいずれか１項に記載の多孔質架橋重合体の製造方法。
【請求項６】  前記エマルションの硬化温度が、８０〜１１０℃であることを特徴とする請求項１〜５のいずれか１項に記載の多孔質架橋重合体の製造方法。
【請求項７】  前記エマルションの重合時間が、３０分以内であることを特徴とする請求項１〜６のいずれか１項に記載の多孔質架橋重合体の製造方法。
【請求項８】  前記エマルションが活性熱エネルギー線を用いて加熱昇温されることを特徴とする請求項１〜７のいずれか１項に記載の多孔質架橋重合体の製造方法。
【請求項９】  前記活性熱エネルギー線が、近赤外線であることを特徴とする請求項８に記載の多孔質架橋重合体の製造方法。
【請求項１０】  前記エマルションを重合開始剤の存在下で重合し、前記エマルションの重合時間が３０分以内であり、かつ重合時間内に分解し終わる重合開始剤の量を単量体成分に対して０．０５〜２．０モル％に制御することを特徴とする請求項１〜９のいずれか１項に記載の多孔質架橋重合体の製造方法。
【請求項１１】  前記エマルションを成形から重合までの一連の操作を連続的に行うことを特徴とする請求項１〜１０のいずれか１項に記載の多孔質架橋重合体の製造方法。
【請求項１２】  前記エマルションを連続的に成形することを特徴とする請求項１〜１１のいずれか１項に記載の多孔質架橋重合体の製造方法。
【手続補正２】
【補正対象書類名】明細書
【補正対象項目名】０００９
【補正方法】変更
【補正の内容】
【０００９】
すなわち、上記諸目的は、下記（１）〜（１２）によって達成される。
【手続補正３】
【補正対象書類名】明細書
【補正対象項目名】００１０
【補正方法】変更
【補正の内容】
【００１０】
（１）  重合性単量体、架橋性単量体および界面活性剤を必須成分として含有する油相と、水を必須成分として含有する水相とを混合して得られる油中水滴型高分散相エマルションを６０〜１１０℃の硬化温度まで加熱昇温させて重合させる多孔質架橋重合体の製造方法において、
該エマルションが厚さ５０ｍｍ以下に成形され、該エマルションの加熱昇温速度が５℃／分以上であることを特徴とする多孔質架橋重合体の製造方法。
【手続補正４】
【補正対象書類名】明細書
【補正対象項目名】００１１
【補正方法】変更
【補正の内容】
【００１１】
（２）  前記エマルションがフィルム状またはシート状に成形されることを特徴とする上記（１）に記載の多孔質架橋重合体の製造方法。
【手続補正５】
【補正対象書類名】明細書
【補正対象項目名】００１７
【補正方法】変更
【補正の内容】
【００１７】
（８）  前記エマルションが活性熱エネルギー線を用いて加熱昇温されることを特徴とする上記（１）〜（７）のいずれか１つに記載の多孔質架橋重合体の製造方法。
【手続補正６】
【補正対象書類名】明細書
【補正対象項目名】００１８
【補正方法】変更
【補正の内容】
【００１８】
（９）  前記活性熱エネルギー線が、近赤外線であることを特徴とする上記（８）に記載の多孔質架橋重合体の製造方法。
【手続補正７】
【補正対象書類名】明細書
【補正対象項目名】００１９
【補正方法】変更
【補正の内容】
【００１９】
（１０）  前記エマルションを重合開始剤の存在下で重合され、該重合時間内に分解し終わる重合開始剤の量を単量体成分に対して０．０５〜２．０モル％に制御することを特徴とす上記（１）〜（９）のいずれか１つに記載の多孔質架橋重合体の製造方法。
【手続補正８】
【補正対象書類名】明細書
【補正対象項目名】００２０
【補正方法】変更
【補正の内容】
【００２０】
（１１）  前記エマルションを成形から重合までの一連の操作を連続的に行うことを特徴とする上記（１）〜（１０）のいずれか１つに記載の多孔質架橋重合体の製造方法。
【手続補正９】
【補正対象書類名】明細書
【補正対象項目名】００２１
【補正方法】変更
【補正の内容】
【００２１】
（１２）  前記エマルションを連続的に成形することを特徴とする上記（１）〜（１１）のいずれか１つに記載の多孔質架橋重合体の製造方法。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】変更
【補正の内容】
【００２３】
【発明を実施するための最良の形態】
本発明の第１の発明は、重合性単量体、架橋性単量体および界面活性剤を必須成分として含有する油相と、水を必須成分として含有する水相とを混合して得られるＨＩＰＥを６０〜１１０℃の硬化温度まで加熱昇温させて重合させる多孔質架橋重合体の製造方法において、
該エマルションが厚み５０ｍｍ以下に成形され、該エマルションの加熱昇温速度が５℃／分以上であることを特徴とするものである。
【手続補正書】
【提出日】平成19年10月10日(2007.10.10)
【手続補正１】
【補正対象書類名】明細書
【補正対象項目名】特許請求の範囲
【補正方法】変更
【補正の内容】
【特許請求の範囲】
【請求項１】  ポリ酸無水物を含む組成物であって、該ポリ酸無水物は、生物学的に活性なα−ヒドロキシ酸に分解され、該ポリ酸無水物は、以下の式（ＩＩＩ）の構造を有する繰返し単位を含み、式（ＩＩＩ）：
【化１】
2003511550.tif 000001
において、Ｒは、１〜２０個の炭素原子を含むアルキレン基、−（ＣＨ２）ｘ−（ここで、ｘは、１〜２０である）、または
【化２】
2003511550.tif 000002
（ここで、ｘは、１〜２０であり、そしてＺ１は、ＯＨであり、その結果、該Ｒ基は、１〜２０個のヒドロキシル基を含む）である、
組成物。
【請求項２】  α−ヒドロキシ酸を宿主に送達するための、請求項１に記載の組成物であって、前記ポリ酸無水物が式（ＩＩＩ）を含む、組成物。
【請求項３】  前記組成物が、よりしわの少ないより滑らかな、透き通った皮膚を促進するために、局所的に投与される、請求項２に記載の組成物。
【手続補正書】
【提出日】平成19年2月2日(2007.2.2)
【手続補正１】
【補正対象書類名】明細書
【補正対象項目名】特許請求の範囲
【補正方法】変更
【補正の内容】
【特許請求の範囲】
【請求項１】  非導電繊維を含むウェブを、有効量の前記繊維を導電性にしない非水系極性液体で湿潤させるステップと、
前記湿潤させたウェブを実質的に乾燥させて、繊維状エレクトレットウェブを形成するステップとを含む、繊維状エレクトレットウェブを製造する方法。
【請求項２】  前記繊維状エレクトレットウェブが、ミクロファイバーを含有する不織繊維状ウェブである、請求項１に記載の方法。
【請求項３】  前記非水系極性液体が、メタノール、イソプロパノール、エチレングリコール、ジメチルスルホキシド、ジメチルホルムアミド、アセトニトリル、およびアセトンからなる群から選択される、請求項１から２のいずれか一項に記載の方法。
【手続補正書】
【提出日】平成19年1月24日(2007.1.24)
【手続補正１】
【補正対象書類名】明細書
【補正対象項目名】特許請求の範囲
【補正方法】変更
【補正の内容】
【特許請求の範囲】
【請求項１】  不織繊維エレクトレットウェブを製造する方法であって、
（ａ）非導電性ポリマー繊維形成物質から１つまたはそれ以上のフリー繊維（２４）を形成するステップと、
（ｂ）前記フリー繊維（２４）上に有効量の極性液体（３２，３４）を噴霧するステップと、
（ｃ）不織繊維ウェブ（２５）を形成するように、前記フリー繊維（２４）を収集するステップと、
（ｄ）不織繊維エレクトレットウェブ（３９）を形成するように、前記フリー繊維（２４）または前記不織繊維ウェブ（２５）を乾燥させるステップと、
を含む方法。
【請求項２】  前記不織繊維ウェブ（２５）が、乾燥される前に前記極性液体（３２，３４）で本質的に飽和され、前記極性液体（３２，３４）が水を含む、請求項１に記載の方法。
【請求項３】  前記不織繊維エレクトレットウェブ（３９）が持続的なエレクトレット荷電を示す、請求項１に記載の方法。
【手続補正書】
【提出日】平成19年6月29日(2007.6.29)
【手続補正１】
【補正対象書類名】明細書
【補正対象項目名】００２５
【補正方法】変更
【補正の内容】
【００２５】
【化１４】
2003511514.tif 000001
｛式中、
R1' 〜R3' 及びR4は、互いに独立して、ハロゲン、ニトロ、-O(CH2) x OH、-O  (CH2CH2)x OH（x ＝１〜10）、-(OCH2CH2)y -OH （ｙ＝０〜10）、-CN 、-Z、  -OZ 、-OCOZ 、-COZ、-COOZ 、-NHZ、-NZ2、-NHCOZ、-CONHZ、-NZCOZ、-CONZ2、-S  Z 、-SO3Z 、-SO2NHZ、-SO2NZ2 、-SO2Z 、-SO2CF3 ［Ｚは、Ｈ、(C1-C10  ) アルキル、(C1-C10)ヒドロキシアルキル、(C1-C10)アルコキシル、(C1-C10)フ  ルオロアルキル、(C1-C10)エポキシアルキル、(C1-C10)アルケニル、置換されたもしくは置換されていない炭素環式または複素環式基、例えば──以下に制限されないが──ピロリジニル、フラニル、ピラニル、ピペリジニルである］のいずれかであるか、または-COOM 、-SO3M （Ｍは、アルカリ金属、アンモニウム、アルキルアンモニウムである）であることができ、またあるいはR1' 及びR2' は一緒になって炭素環式または複素環式基、例えば──以下に制限されないが──無水マレイン酸またはマレイミド成分を形成し、そしてｍは０〜４である｝、または
【手続補正２】
【補正対象書類名】明細書
【補正対象項目名】００３４
【補正方法】変更
【補正の内容】
【００３４】
該静的管状混合ユニットは、固定された混合要素を含む、これらの混合要素は乱流によるエネルギー散逸を生じさせ、それによって巨視的及び微視的な良好な混合を促進する。上記静的管状固定要素ミキサーには可動の機械的部材は含まれない。固定混合要素は、二つまたはそれ以上の別個の流れを、合流させ、分割させ、伸張させ及び再び合流させることによって濃度及び温度の放射状勾配を次第に減少させる。その結果、反応混合物に対し僅かな剪断力を負荷するだけであるいは剪断力を全く負荷せずに緊密な混合が達成される。インライン混合ユニットを使用しないで大規模な生産を行った場合は、混合容器中の攪拌ブレードを介して剪断力が伝搬され、しばしば余分な熱が反応混合物に負荷される結果となる。これにより、ジアゾニウム塩の分解が起こりそして所望の最終生成物の量が実質的に低減する恐れがある。インライン混合ユニットを使用した場合は、混合の場所に負荷される混合エネルギーがごく僅かであり、そのため剪断力の負荷が最小化される。
【手続補正３】
【補正対象書類名】明細書
【補正対象項目名】００５１
【補正方法】変更
【補正の内容】
【００５１】
ポジ型フォトレジスト組成物は、一般的に、ネガ型のものよりも優れた解像能力及びパターン転写特性を有し、そのため現在はネガ型のものよりも好まれて使用されている。フォトレジスト解像度とは、レジスト組成物が、露光及び現像後に高程度に鋭い像縁を持ってフォトマスクから基体へと転写することができる最小の図形と定義される。現在の多くの製造用途において、１ミクロン未満のオーダーのレジスト解像度が必要とされている。加えて、現像されたフォトレジストの壁の断面が基体に対してほぼ垂直であることが殆どの場合において望ましいとされる。レジスト塗膜の現像された領域と現像されていない領域との間でのこのような明確な区分けが、基体へのマスク像の正確なパターン転写を導く。このことは、微細化への傾向がデバイスの臨界寸法(critical dimensions) を小さくしているのでより一層重要な事項となる。